(57)【要約】      （修正有）【課題】簡単な構成で容易に重量物を搬送でき、搬送作業の工数を削減できる方法の提供。【解決手段】重量物搬送方法は、既設の巻上機１０が配置されている機械室１２０と、機械室１２０より低い場所とを結ぶ経路に沿って、巻上機１０を用いて重量物２０を搬送する方法であって、巻上機１０から主索を取り外す第１の工程と、巻上機１０の回転体に搬送用ワイヤ８０の一端側を固定する第２の工程と、搬送用ワイヤ８０の他端側を、重量物の吊り部材２０ａに取付ける第３の工程と、回転体を回転させて、回転体に搬送用ワイヤ８０を巻きつけ、または巻き戻すことにより重量物２０を搬送する第４の工程とを備える。【選択図】図５
2019182609.tif 000002
【特許請求の範囲】
【請求項１】
既設の巻上機が配置されている機械室と、前記機械室より低い場所とを結ぶ経路に沿って、前記巻上機を用いて重量物を搬送する、巻上機を用いた重量物搬送方法であって、
前記巻上機から主索を取り外す第１の工程と、
前記巻上機の回転体に搬送用ワイヤの一端側を固定する第２の工程と、
前記搬送用ワイヤの他端側を、前記重量物側に取付ける第３の工程と、
前記回転体を回転させて、前記回転体に前記搬送用ワイヤを巻きつけ、または巻き戻すことにより、前記重量物を搬送する第４の工程とを備える、
巻上機を用いた重量物搬送方法。
【請求項２】
前記第１の工程は、さらに、
前記経路に門型構造体を設置する工程と、
前記門型構造体に滑車を取付ける工程とを含み、
前記第２の工程は、さらに、
前記搬送用ワイヤの中間部分を前記滑車に巻き掛ける工程を含む、
請求項１に記載の巻上機を用いた重量物搬送方法。
【請求項３】
前記第１の工程は、さらに、
前記経路に門型構造体を設置する工程と、
ガイドパイプを、前記経路に沿って前記門型構造体に固定する工程と、
前記ガイドパイプに、前記ガイドパイプの長手方向に沿って移動可能にチェーンブロックを取り付ける工程とを含み、
前記第３の工程は、さらに
前記チェーンブロックによって前記重量物を吊り上げる工程を含む、
請求項１に記載の巻上機を用いた重量物搬送方法。
【請求項４】
前記第１の工程は、さらに、
前記経路に門型構造体を設置する工程と、
前記門型構造体に滑車を取付ける工程と、
ガイドパイプを、前記経路に沿って前記門型構造体に固定する工程と、
前記ガイドパイプに、前記ガイドパイプの長手方向に沿って移動可能にチェーンブロックを取り付ける工程とを含み、
前記第２の工程は、さらに、
前記搬送用ワイヤの中間部分を前記滑車に巻き掛ける工程を含み、
前記第３の工程は、さらに
前記チェーンブロックによって前記重量物を吊り上げる工程を含む、
請求項１に記載の巻上機を用いた重量物搬送方法。
【請求項５】
前記経路は、エレベーター装置の乗りかごが昇降する昇降路である、
請求項１または２に記載の巻上機を用いた重量物搬送方法。
【請求項６】
前記経路は、階段を含む、
請求項１から４のいずれか一項に記載の巻上機を用いた重量物搬送方法。
【請求項７】
前記回転体は、前記巻上機の綱車である、
請求項１から６のいずれか一項に記載の巻上機を用いた重量物搬送方法。
【請求項８】
前記回転体は、軸方向の両端部にフランジを有するドラムであり、
前記第２の工程は、
前記巻上機の回転軸から綱車を取り外す工程と、
前記回転軸に前記ドラムを取り付ける工程とを含む、
請求項１から６のいずれか一項に記載の巻上機を用いた重量物搬送方法。
【発明の詳細な説明】
【技術分野】
【０００１】
本発明は、エレベーター装置に設置されている既設の巻上機を用いて重量物を搬送する、巻上機を用いた重量物搬送方法に関する。
【背景技術】
【０００２】
従来、エレベーターの改修工事では、巻上機、制御盤等の重量物を機械室に搬出入する場合がある。古い建物に設置されたエレベーターでは、かごが着床可能な最上階よりも、さらに上方に機械室が設けられていることが多い。このような建物で改修工事を行う場合には、最上階と機械室の間は、階段を使用して重量物の搬出及び搬入を行っている。
【０００３】
例えば巻上機の場合、重量は小さいもので３００ｋｇ程度、大きいものでは８００ｋｇに及ぶものもある。従って、人力で巻上機を支持して階段を昇降することは不可能である。
【０００４】
そこで、階段で重量物を搬送する方法として、階段の上方と下方に、それぞれ門型構造体を設置し、２つの門型構造体の頂部を結合するレールを設置し、レールにチェーンブロックを備えたトロリを取り付け、重量物をチェーンブロックで揚重して、トロリをレールに沿って走行させることにより、階段の下から上へ重量物を搬送するものが開示されている（例えば特許文献１参照）。
【先行技術文献】
【特許文献】
【０００５】
【特許文献１】特開２０１５−１０１４４０号公報
【発明の概要】
【発明が解決しようとする課題】
【０００６】
しかしながら、特許文献１の搬送方法は、下方の門型構造体から上方の門型構造体まで、数段分重量物を移動させた後、一旦トロリをレールから外して、作業者が、各門型構造体を数段分上方へ移設している。そして、再度トロリをレールに取り付けて重量物を数段分移動させる、という手順を繰り返している。よって、重量物を１階床分搬送するために、トロリの着脱と各門型構造体の移設を何回も繰り返さなければならず、作業工数が多いという課題がある。
【０００７】
本発明は、上記のような課題を解決するためになされたものであり、機械室と機械室の階下との間において、簡単な構成で容易に重量物を搬送することのできる、巻上機を用いた重量物搬送方法を得るものである。
【課題を解決するための手段】
【０００８】
本発明に係る巻上機を用いた重量物搬送方法は、既設の巻上機が配置されている機械室と、機械室より低い場所とを結ぶ経路に沿って、巻上機を用いて重量物を搬送する方法であって、巻上機から主索を取り外す第１の工程と、巻上機の回転体に搬送用ワイヤの一端側を固定する第２の工程と、搬送用ワイヤの他端側を、重量物の吊り部材に取付ける第３の工程と、回転体を回転させて、回転体に搬送用ワイヤを巻きつけ、または巻き戻すことにより重量物を搬送する第４の工程とを備える。
【発明の効果】
【０００９】
本発明の巻上機を用いた重量物搬送方法は、既設の巻上機を揚重装置として用いることにより重量物を搬送する。これにより、簡単な構成で、容易に重量物を搬送することができる。よって、搬送作業の工数が削減される。
【図面の簡単な説明】
【００１０】
【図１】本発明の巻上機を用いた重量物搬送方法を適用する建物の例を正面から見た概略図である。
【図２】図１の建物において、本発明の実施の形態１による巻上機を用いた重量物搬送方法を説明する模式図である。
【図３】図１の建物において、本発明の実施の形態２による巻上機を用いた重量物搬送方法を説明する模式図である。
【図４】図１の建物において、本発明の実施の形態３による巻上機を用いた重量物搬送方法を説明する模式図である。
【図５】図１の建物において、本発明の実施の形態４による巻上機を用いた重量物搬送方法を説明する模式図である。
【図６】本発明の巻上機を用いた重量物搬送方法を適用する他の建物の例を正面から見た概略図である。
【図７Ａ】図６の建物において本発明の実施の形態２による巻上機を用いた重量物搬送方法の第１の工程を実施する場合の構成を説明する概略平面図である。
【図７Ｂ】図６の建物において本発明の実施の形態２による巻上機を用いた重量物搬送方法の第１の工程を実施する場合の手順を説明する概略平面図である。
【図７Ｃ】図６の建物において本発明の実施の形態２による巻上機を用いた重量物搬送方法の第１の工程を実施する場合の手順を説明する概略平面図である。
【図７Ｄ】図６の建物において本発明の実施の形態２による巻上機を用いた重量物搬送方法の第１の工程を実施する場合の手順を説明する概略平面図である。
【図７Ｅ】図６の建物において本発明の実施の形態２による巻上機を用いた重量物搬送方法の第１の工程を実施する場合の手順を説明する概略平面図である。
【図７Ｆ】図６の建物において本発明の実施の形態２による巻上機を用いた重量物搬送方法の第２及び第３の工程を実施する場合の手順を説明する概略平面図である。
【図８Ａ】図６の建物において本発明の実施の形態２による巻上機を用いた重量物搬送方法を実施した場合の第４の工程を説明する概略側面図である。
【図８Ｂ】図６の建物において本発明の実施の形態２による巻上機を用いた重量物搬送方法を実施した場合の第４の工程を説明する概略側面図である。
【図９】図６の建物において本発明の実施の形態４による巻上機を用いた重量物搬送方法の第２及び第３の工程を実施する場合の手順を説明する概略平面図である。
【図１０Ａ】図６の建物において本発明の実施の形態４による巻上機を用いた重量物搬送方法を実施した場合を説明する概略側面図である。
【図１０Ｂ】図６の建物において本発明の実施の形態４による巻上機を用いた重量物搬送方法を実施した場合を説明する概略側面図である。
【図１１】本発明の実施の形態５による巻上機を用いた重量物搬送方法を示す概略図である。
【発明を実施するための形態】
【００１１】
以下、本発明の巻上機を用いた重量物搬送方法の好適な実施の形態につき、図面を用いて説明する。なお、図１〜１１は概略図であり、各要素の寸法及び比率は実際のものとは異なる。また、本発明の各実施の形態は、重量物としての新しい巻上機２０を機械室１２０に搬入する場合について説明しているが、これは一例である。本発明の巻上機を用いた重量物搬送方法は、制御盤、機械台などの重量物を機械室に搬入する場合にも適用可能であり、さらに、これらの重量物を機械室から搬出する場合にも適用可能である。
【００１２】
実施の形態１．
図１は、本発明の実施の形態１による巻上機を用いた重量物搬送方法を用いて、重量物である新しい巻上機２０を搬送する建物１００の例を示す正面図である。
【００１３】
図１に示すように、建物１００は、エレベーター装置１を備える。エレベーター装置１は、乗りかご１５と、乗りかご１５が昇降する昇降路１１０と、昇降路１１０の上部に設けられた機械室１２０とを有する。
【００１４】
機械室１２０には、巻上機１０、そらせ車１２、制御盤１８などが設置されている。機械室１２０の床には、例えば２本の鋼材１２１が設置されている。２本の鋼材１２１の上には、長手方向をこの２本の鋼材１２１に直交させて、一対の巻上機台１６が配置されている。
【００１５】
制御盤１８は、機械室１２０の床に固定されており、エレベーター装置１の運転を制御する。巻上機１０は、一対の巻上機台１６を介して、２本の鋼材１２１に溶接によって固定されている。
【００１６】
巻上機１０は、綱車１１を有する。そらせ車１２と、巻上機１０の綱車１１とには、主索１４が巻回されている。主索１４の一端側は、乗りかご１５に取り付けられている。主索１４の他端側は、つり合いおもり１３に取り付けられている。
【００１７】
巻上機１０の綱車１１を回転させると主索１４が移動する。主索１４が移動すると、主索１４の一端側が取り付けられた乗りかご１５が昇降路１１０内を昇降する。これにより、乗りかご１５は、建物１００の各階床に設けられた乗場間を移動する。
【００１８】
また、建物１００は、機械室より低い場所である最上階の階床１４０に、機械室１２０に続く階段１４１を備えている。階段１４１から機械室１２０への経路は、直線的に配置されている。なお、図１では、機械室１２０の出入口、壁などは省略している。
【００１９】
機械室１２０に設置された巻上機１０は、階段１４１から機械室１２０への経路と、巻上機１０の回転軸の径方向の延長線とがほぼ一致する向き及び位置に設置されている。
【００２０】
図２は、本発明の実施の形態１による巻上機を用いた重量物搬送方法を説明する概略図である。図２は、階段１４１、壁、床などを簡略化している。以下、図１及び図２を用いて、実施の形態１による巻上機を用いた重量物搬送方法の第１から第４までの工程について説明する。
【００２１】
まず、準備として、図１に示すように、機械室１２０に搬入する重量物としての新しい巻上機２０及び図示しない資材などを、建物１００の最上階の階床１４０に載置する。具体的には、新しい巻上機２０を台車２００に積載してエレベーター装置１の乗りかご１５に乗せ、最上階の階床１４０まで搬送する。そして、空の乗りかご１５を最下部まで下降させた後、巻上機１０を手動運転に切り替える。
【００２２】
次に、第１の工程について説明する。第１の工程では、巻上機１０の綱車１１から主索１４を取り外す。巻上機１０以外の主索１４、そらせ車１２、つり合いおもり１３等の周辺機器については、再利用する場合には保管し、廃棄する場合には解体するなど、後の処理に応じて適宜処理する。
【００２３】
次に、第２の工程について説明する。第２の工程では、図２に示すように、搬送用ワイヤ８０の一端側を綱車１１に取付ける。搬送用ワイヤ８０の一端側は、綱車１１を回転させたときに、搬送用ワイヤ８０が綱車１１に巻き付けられるように取付ける。例えば、搬送用ワイヤ８０の一端側を、ワイヤクリップを用いて綱車１１のスポークに取付ける。
【００２４】
なお、搬送用ワイヤ８０は、重量物の重量に応じた径のものを選択する。綱車１１の外周に形成されている溝は浅いため、搬送用ワイヤ８０を巻きつけていくと綱車１１から外れてしまうおそれがある。よって、綱車１１の軸方向の側面に、フランジ状のアタッチメントを取付けて、搬送用ワイヤ８０の外れを防止するとよい。
【００２５】
また、綱車１１に搬送用ワイヤ８０を取付けることができない場合には、綱車１１を、搬送用ワイヤ８０の取り付け及び巻きつけが可能な図示しない回転体に交換する。回転体には、例えば軸方向の両端部にフランジを有するドラムを用いる。ドラムの軸部には、搬送用ワイヤ８０を取り付ける取付孔が設けられている。巻上機１０の回転軸から綱車１１を取り外してドラムに交換し、ドラムの取付孔に搬送用ワイヤ８０の一端側を取付ける。
【００２６】
次に、第３の工程について説明する。第３の工程では、搬送用ワイヤ８０の他端側を、新しい巻上機２０の吊りボルト２０ａに取付ける。なお、搬送用ワイヤ８０の他端側は、新しい巻上機２０の吊りボルト２０ａに通したスリングベルトに取付けてもよいし、台車２００に取付けてもよい。
【００２７】
次に、第４の工程について説明する。第４の工程では、巻上機１０を手動操作して、綱車１１を低速で回転させる。そして、綱車１１に搬送用ワイヤ８０の一端側を巻きつける。すると、搬送用ワイヤ８０の他端側が巻上機１０側に引き寄せられ、新しい巻上機２０を載せた台車２００が機械室１２０に向けて移動する。
【００２８】
階段１４１の上には鋼板４０１などを配置してスロープを形成する。そして、台車２００は鋼板４０１の上を走行させる。なお、階段１４１の脇に既設のスロープがある場合には、既設のスロープを経由して台車２００を走行させる。
【００２９】
新しい巻上機２０を載せた台車２００が機械室１２０に到着したら、新しい巻上機２０の吊りボルト２０ａから搬送用ワイヤ８０を取り外す。以上により、実施の形態１の第１の工程から第４の工程までが終了し、新しい巻上機２０の機械室１２０への搬入作業が完了する。
【００３０】
この後、エレベーター装置１の改修工事としては、既設の巻上機１０を新しい巻上機２０に交換する作業を行うが、ここでは省略する。
【００３１】
なお、巻上機１０を新しい巻上機２０に交換した後、巻上機１０は最上階の階床１４０に搬送されるが、このとき、第１の工程から第４の工程の順序を逆にして行うことにより、巻上機１０を機械室１２０から最上階の階床１４０まで搬送することができる。この場合、巻上機２０に巻きつけた搬送用ワイヤ８０を巻き戻しながら巻上機１０を搬送することになるが、経路が水平な場所では搬送用ワイヤ８０に張力が働かないので、作業者が補助して巻上機１０を移動させる。
【００３２】
このように、実施の形態１の巻上機を用いた重量物搬送方法によれば、既設の巻上機１０を揚重装置として用いることにより、門型構造体への揚重装置の脱着、及び門型構造体の移設といった作業を繰り返すことなく、簡単な構成で容易に重量物を機械室に搬送することができる。よって、搬送作業の工数が削減される。
【００３３】
実施の形態２．
図３は、本発明の実施の形態２による巻上機を用いた重量物搬送方法を説明する概略図である。実施の形態２の巻上機を用いた重量物搬送方法は、機械室１２０に門型構造体３００，３０１を設置し、ガイドパイプ３５０を配置している点と、搬送用ワイヤ８０を滑車６１に掛けている点が、実施の形態１とは異なる。他の構成は、実施の形態１と同様である。
【００３４】
門型構造体３００は、長手方向を水平にして配置される鉄パイプ３１０と、鉄パイプ３１０を支持する一対のパイプサポート３２０と、鉄パイプ３１０と一対のパイプサポート３２０とを固定する複数のクランプ３３０とによって構成される。同様に、門型構造体３０１は、長手方向を水平にして配置される鉄パイプ３１１と、鉄パイプ３１１を支持する一対のパイプサポート３２１と、鉄パイプ３１１と一対のパイプサポート３２１とを固定する複数のクランプ３３１とによって構成される。
【００３５】
門型構造体３００の鉄パイプ３１０には、ガイドパイプ３５０の一端側がクランプ３３０によって固定される。門型構造体３０１の鉄パイプ３１１には、ガイドパイプ３５０の他端側がクランプ３３１によって固定される。
【００３６】
ガイドパイプ３５０には、滑車６１が取り付けられる。滑車６１には、搬送用ワイヤ８０が掛けられる。滑車６１は、ワイヤカバーが開閉可能であり、搬送用ワイヤ８０が簡単に着脱できる。
【００３７】
このように構成することによって、実施の形態２の巻上機を用いた重量物搬送方法は、階段１４１の傾斜が急な場合であっても、搬送用ワイヤ８０を階段１４１に接触させることなく、巻上機２０を最上階の階床１４０から機械室１２０まで搬送することができる。
【００３８】
実施の形態３．
図４は、本発明の実施の形態３による巻上機を用いた重量物搬送方法を説明する概略図である。実施の形態３の巻上機を用いた重量物搬送方法は、機械室１２０に門型構造体３００，３０１を設置し、ガイドパイプ３５０を配置している点と、最上階の階床１４０に門型構造体３０２を設置し、階段１４１上にガイドパイプ３５１を配置している点と、台車２００に代えてチェーンブロック７０を用いて巻上機２０を揚重している点が、実施の形態１とは異なる。他の構成は、実施の形態１と同様である。
【００３９】
門型構造体３００，３０１及びガイドパイプ３５０の構成は、実施の形態２と同様である。門型構造体３０２は、長手方向を水平にして配置される鉄パイプ３１３と、鉄パイプ３１３を支持する一対のパイプサポート３２３と、鉄パイプ３１３と一対のパイプサポート３２３とを固定する複数のクランプ３３３とによって構成される。
【００４０】
ガイドパイプ３５１の一端側は門型構造体３００に固定され、他端側は門型構造体３０２に固定される。ガイドパイプ３５１には、ガイドパイプ３５１に沿ってスライド移動可能な吊り部材９０が取り付けられる。吊り部材９０は、例えばワイヤを環状に形成したものである。ガイドパイプ３５０には、吊り部材９０と同様の吊り部材９１が取り付けられる。
【００４１】
吊り部材９０には、チェーンブロック７０の吊り側のフック７０ａが掛けられる。搬送用ワイヤ８０の他端側は、チェーンブロック７０の吊り側のフック７０ａまたは吊り部材９０に取り付けられる。チェーンブロック７０の揚重側のフック７０ｂは、巻上機２０の吊りボルト２０ａまたは吊りボルト２０ａに通したスリングベルトに掛けられる。この状態で、チェーンブロック７０のチェーンを巻き上げて、巻上機２０を揚重する。
【００４２】
この状態で、既設の巻上機１０によって搬送用ワイヤ８０を巻き上げると、吊り部材９０がガイドパイプ３５１に沿って機械室１２０側に移動する。吊り部材９０の移動に伴って、チェーンブロック７０及びチェーンブロック７０に揚重された巻上機２０が機械室１２０に向かって移動する。
【００４３】
吊り部材９０が、ガイドパイプ３５１の一端側に到達したら、チェーンブロック７０のチェーンを巻き戻し、巻上機２０を床に降ろす。そして、ガイドパイプ３５１の吊り部材９０からフック７０ａを外し、ガイドパイプ３５０の吊り部材９１をフック７０ａに掛ける。チェーンブロック７０のチェーンを巻き上げて、再度巻上機２０を揚重し、ガイドパイプ３５０に沿って、巻上機２０を所望の位置まで移動させる。
【００４４】
このように構成することによって、実施の形態３の巻上機を用いた重量物搬送方法は、階段１４１に鋼板４０１を配置することなく、また台車２００を用いることもなく、簡単な構成で、最上階の階床１４０から機械室１２０まで巻上機２０を搬送することができる。
【００４５】
実施の形態４．
図５は、本発明の実施の形態４による巻上機を用いた重量物搬送方法を説明する概略図である。実施の形態４の巻上機を用いた重量物搬送方法は、実施の形態３の構成に、実施の形態２の滑車６１を追加している点が、実施の形態３とは異なる。他の構成は、実施の形態３と同様である。
【００４６】
実施の形態２と同様に、搬送用ワイヤ８０は、滑車６１に掛けられている。この状態で、既設の巻上機１０によって搬送用ワイヤ８０を巻き上げると、吊り部材９０がガイドパイプ３５１に沿って機械室１２０側に移動する。吊り部材９０の移動に伴って、チェーンブロック７０及びチェーンブロック７０に揚重された巻上機２０が機械室１２０に向かって移動する。
【００４７】
吊り部材９０が、ガイドパイプ３５１の一端側に到達したら、チェーンブロック７０のチェーンを巻き戻し、巻上機２０を床に降ろす。そして、ガイドパイプ３５１の吊り部材９０からフック７０ａを外し、搬送用ワイヤ８０を滑車６１から外す。次に、ガイドパイプ３５０の吊り部材９１をチェーンブロック７０のフック７０ａに掛ける。チェーンブロック７０のチェーンを巻き上げて、再度巻上機２０を揚重し、ガイドパイプ３５０に沿って、巻上機２０を所望の位置まで移動させる。
【００４８】
このように構成することによって、実施の形態４の巻上機を用いた重量物搬送方法は、階段１４１の傾斜が急な場合であっても、搬送用ワイヤ８０を階段１４１に接触させることなく、巻上機２０を最上階の階床１４０から機械室１２０まで搬送することができる。
【００４９】
ここまでは、最上階の階床１４０から階段１４１を経由して機械室１２０に至る経路が直線状の建物１００において、本発明の実施の形態１〜４による巻上機を用いた重量物搬送方法を適用する場合について説明した。しかしながら、最上階の階床から階段を経由して機械室に至る経路は、直線状であるとは限らない。
【００５０】
そこで、次に、図６に示すような、最上階の階床１４０Ａから階段１４２，１４３を経由して機械室１２０Ａに至る経路が直線状ではない他の建物１００Ａにおいて、本発明の実施の形態２及び４による巻上機を用いた重量物搬送方法を適用する場合について、図７Ａから図１０Ｂを用いて説明する。
【００５１】
図６に示すように、建物１００Ａは、エレベーター装置１Ａを備える。エレベーター装置１Ａは、乗りかご１５Ａと、乗りかご１５Ａが昇降する昇降路１１０Ａと、昇降路１１０Ａの上部に設けられた機械室１２０Ａとを有する。
【００５２】
機械室１２０Ａには、巻上機１０Ａ、そらせ車１２Ａ、制御盤１８Ａなどが設置されている。機械室１２０Ａの床には、例えば２本の鋼材１２１Ａが設置されている。２本の鋼材１２１Ａの上には、長手方向をこの２本の鋼材１２１Ａに直交させて、一対の巻上機台１６Ａが配置されている。
【００５３】
制御盤１８Ａは、機械室１２０Ａの床に固定されており、エレベーター装置１Ａの運転を制御する。巻上機１０Ａは、一対の巻上機台１６Ａを介して、２本の鋼材１２１Ａに溶接によって固定されている。
【００５４】
巻上機１０Ａは、綱車１１Ａを有する。そらせ車１２Ａと、巻上機１０Ａの綱車１１Ａとには、主索１４Ａが巻回されている。主索１４Ａの一端側は、乗りかご１５Ａに取り付けられている。
【００５５】
図７Ａは、建物１００Ａの最上階の階床１４０Ａから機械室１２０Ａに続く経路の概略を示す平面図である。図７Ａに示すように、建物１００Ａは、最上階の階床１４０Ａから踊り場１４５に続く階段１４２と、踊り場１４５から機械室１２０Ａの入り口に続く階段１４３とを備えている。
【００５６】
建物１００Ａの巻上機１０Ａは、巻上機１０Ａの回転軸の径方向の延長線上に機械室１２０Ａの出入り口が配置されていない。また、巻上機１０Ａの回転軸の径方向と階段１４３に沿う経路の方向とが、直交している。
【００５７】
次に、建物１００Ａに本発明の実施の形態２の巻上機を用いた重量物搬送方法を適用する場合の準備と第１から第４までの工程について説明する。
【００５８】
準備として、図６に示すように、機械室１２０Ａに搬入する重量物としての新しい巻上機２０及び図示しない資材などを、建物１００Ａの最上階の階床１４０Ａに載置する。具体的には、新しい巻上機２０を台車２００に積載してエレベーター装置１Ａの乗りかご１５Ａに乗せ、最上階の階床１４０Ａまで搬送する。そして、空の乗りかご１５Ａを最下部まで下降させた後、巻上機１０Ａを手動運転に切り替える。
【００５９】
次に、図７Ａから図７Ｅを用いて第１の工程について説明する。第１の工程では、まず図７Ａに示すように、巻上機１０Ａの綱車１１Ａから主索１４Ａを取り外す。巻上機１０Ａ以外の主索１４Ａ、そらせ車１２Ａ等の周辺機器については、再利用する場合には保管し、廃棄する場合には解体するなど、後の処理に応じて適宜処理する。
【００６０】
次に、巻上機１０Ａを一対の巻上機台１６Ａから外し、図７Ｂに示すように、９０度向きを変更して設置し直す。なお、機械室１２０Ａにおける巻上機１０Ａの周辺の機器の配置、スペースなどを考慮して、巻上機１０Ａの向きを変えない方が階段１４３までの経路を形成しやすい場合には、この作業は必要ない。
【００６１】
次に、図７Ｃに示すように踊り場１４５に門型構造体３０３を設置し、機械室１２０Ａに、門型構造体３０４を設置する。
【００６２】
門型構造体３０３は、長手方向を水平にして配置される３本の鉄パイプ３１３と、各鉄パイプ３１３を支持する４本のパイプサポート３２３と、各鉄パイプ３１３と各パイプサポート３２３とを固定する６つのクランプ３３３とによって構成される。同様に、門型構造体３０４は、長手方向を水平にして配置される３本の鉄パイプ３１４と、各鉄パイプ３１４を支持する４本のパイプサポート３２４と、各鉄パイプ３１４と各パイプサポート３２４とを固定する６つのクランプ３３４とによって構成される。
【００６３】
次に、図７Ｄに示すように、門型構造体３０３，３０４と建物１００Ａとの間に切梁サポート５１〜５７を取り付けて、門型構造体３０３，３０４が水平方向に引っ張られた場合に転倒することを防止する。切梁サポート５１〜５３は、階段１４２と階段１４３との間の壁と、門型構造体３０３との間に取り付けられる。切梁サポート５４〜５６は、階段１４３と機械室１２０Ａとの間の壁と、門型構造体３０４との間に取り付けられる。また、切梁サポート５７，５８は、それぞれ機械室１２０Ａの梁１０１Ａ，１０２Ａと、門型構造体３０４との間に取り付けられる。
【００６４】
なお、切梁サポート５１〜５７の取り付け位置については一例であり、機械室１２０Ａ及び踊り場１４５の構造によって、取り付け位置は適宜変更可能である。また、ここでは門型構造体３０３，３０４の転倒防止に切梁サポート５１〜５７を用いたが、門型構造体３０３，３０４の転倒を防止できる部材であれば、どのような部材を用いても構わない。例えば、切梁サポートに代えて、パイプサポートを用いてもよい。
【００６５】
次に、図７Ｅに示すように、経路の向きが変化する位置に、滑車６２〜６５を取り付ける。踊り場１４５では、経路が９０°ずつ２回変化する。よって、踊り場１４５の門型構造体３０３には、２つの滑車６２，６３が取り付けられる。また、階段１４３から機械室１２０Ａへの経路は９０°変化する。よって、門型構造体３０４の機械室１２０Ａの入口付近には、滑車６４が取り付けられる。さらに、門型構造体３０４には、搬送用ワイヤ８０の向きを巻上機１０Ａの綱車１１Ａ側に向ける滑車６５が取り付けられる。なお、滑車６２〜６５は、ワイヤカバーが開閉可能で、搬送用ワイヤ８０が簡単に着脱できるものを用いる。以上が第１の工程である。
【００６６】
次に、第２の工程について説明する。第２の工程では、図７Ｆに示すように、搬送用ワイヤ８０の一端側を綱車１１Ａに取付ける。搬送用ワイヤ８０の綱車１１Ａへの取り付けについては、実施の形態１の綱車１１と同様であるので、ここでは説明を省略する。
【００６７】
次に、第３の工程について説明する。第３の工程では、図７Ｆに示すように、搬送用ワイヤ８０を経路に沿って配置する。そして、搬送用ワイヤ８０の他端側を、台車２００に積載した新しい巻上機２０の吊りボルト２０ａに取付ける。なお、搬送用ワイヤ８０の他端側は、新しい巻上機２０の吊りボルト２０ａに通したスリングベルトに取付けてもよいし、台車２００に取付けてもよい。
【００６８】
そして、搬送用ワイヤ８０の中間部分を、各滑車６２〜６５に掛ける。また、階段１４２及び階段１４３の上に、それぞれ鋼板４０１及び４０２を配置し、台車２００が走行するスロープを形成する。
【００６９】
次に、第４の工程について説明する。第４の工程では、巻上機１０Ａを手動操作して、綱車１１Ａを低速で回転させる。そして、綱車１１Ａに搬送用ワイヤ８０の一端側を巻きつける。すると、搬送用ワイヤ８０の他端側が巻上機１０Ａ側に引き寄せられ、新しい巻上機２０を載せた台車２００が移動する。
【００７０】
図８Ａに示すように、巻上機２０を載せた台車２００は、鋼板４０１の上を走行して、踊り場１４５へと向かう。巻上機２０を載せた台車２００が踊り場１４５に到達したら、巻上機１０Ａの巻き上げ動作を停止し、滑車６２及び６３から搬送用ワイヤ８０を外す。
【００７１】
次に、巻上機２０を載せた台車２００の進行方向を階段１４３に向ける。そして、巻上機１０Ａの巻き上げ動作を開始する。すると、図８Ｂに示すように、巻上機２０を載せた台車２００は、鋼板４０２の上を走行して、機械室１２０Ａへと向かう。
【００７２】
巻上機２０を載せた台車２００が機械室１２０Ａの入り口に到達したら、巻上機１０Ａの巻き上げ動作を停止し、滑車６４から搬送用ワイヤ８０を外す。
【００７３】
巻上機２０を載せた台車２００が機械室１２０Ａに到着したら、巻上機２０の吊りボルト２０ａから搬送用ワイヤ８０を取り外す。以上により、建物１００Ａに実施の形態２による巻上機を用いた重量物搬送方法を適用した場合の、巻上機２０の機械室１２０Ａへの搬入作業が完了する。
【００７４】
次に、建物１００Ａに実施の形態４による巻上機を用いた重量物搬送方法を適用した場合の第４の工程について、図９，図１０Ａ，図１０Ｂを用いて説明する。
【００７５】
図９は、建物１００Ａに実施の形態４による巻上機を用いた重量物搬送方法を適用した場合の、建物１００Ａの最上階の階床１４０Ａから機械室１２０Ａに続く経路の概略を示す平面図である。図１０Ａ及び図１０Ｂは、図９を階段１４２側からみた側面図である。
【００７６】
図９に示す構成は、図７Ｆの構成に対し、最上階の階床１４０Ａに門型構造体３０５を設置した点と、経路に沿ってガイドパイプ３５２〜３５６を配置した点と、台車２００に代えてチェーンブロック７０を用いて巻上機２０を揚重している点が異なる。他の構成は、図７Ｆに示した実施の形態２と同様である。
【００７７】
ガイドパイプ３５２は、一端側が門型構造体３０５に固定され、他端側が門型構造体３０３に固定される。ガイドパイプ３５３は、一端側及び他端側が門型構造体３０３に固定される。ガイドパイプ３５４は、一端側が門型構造体３０３に固定され、他端側が門型構造体３０４に固定される。ガイドパイプ３５５は、一端側及び他端側が門型構造体３０４に固定される。ガイドパイプ３５６は、一端側が門型構造体３０４に固定され、他端側はパイプサポート３２５に固定される。
【００７８】
なお、門型構造体３０５、各ガイドパイプ３５２〜３５６の設置は、第１の工程において行われる。また、図９における、各ガイドパイプ３５２〜３５６の水平面上の位置は、図を見やすくするために経路からずらしてある。実際には、各ガイドパイプ３５２〜３５６の水平面上の位置は、経路と重なる。
【００７９】
ガイドパイプ３５２〜３５６には、それぞれ、ガイドパイプ３５２〜３５６に沿ってスライド移動可能な吊り部材９２〜９６が取り付けられる。吊り部材９２〜９６は、例えばワイヤを環状に形成したものである。
【００８０】
図１０Ａに示すように、吊り部材９２には、チェーンブロック７０の吊り側のフック７０ａが掛けられる。搬送用ワイヤ８０の他端側は、チェーンブロック７０の吊り側のフック７０ａまたは吊り部材９２に取り付けられる。チェーンブロック７０の揚重側のフック７０ｂは、巻上機２０の吊りボルト２０ａまたは吊りボルト２０ａに通したスリングベルトに掛けられる。この状態で、チェーンブロック７０のチェーンを巻き上げて、巻上機２０を揚重する。
【００８１】
この状態で、巻上機１０Ａを手動操作して、綱車１１Ａを低速で回転させる。そして、綱車１１Ａに搬送用ワイヤ８０の一端側を巻きつける。すると、搬送用ワイヤ８０の他端側が巻上機１０Ａ側に引き寄せられ、チェーンブロック７０及び巻上機２０が、ガイドパイプ３５２に沿って移動する。
【００８２】
図１０Ａに示すように、チェーンブロック７０に揚重された巻上機２０は、踊り場１４５へと向かう。チェーンブロック７０が踊り場１４５に到達したら、巻上機１０Ａの巻き上げ動作を停止する。次に、チェーンブロック７０のチェーンを巻き戻し、巻上機２０を踊り場１４５の床に降ろす。そして、ガイドパイプ３５２の吊り部材９２からフック７０ａを外し、ガイドパイプ３５３の吊り部材９３をフック７０ａに掛ける。チェーンブロック７０のチェーンを巻き上げて、再度巻上機２０を揚重し、ガイドパイプ３５３に沿って、巻上機２０を所望の位置まで移動させる。
【００８３】
チェーンブロック７０がガイドパイプ３５３の反対側に到達したら、巻上機１０Ａの巻き上げ動作を停止する。次に、チェーンブロック７０のチェーンを巻き戻し、巻上機２０を踊り場１４５の床に降ろす。そして、ガイドパイプ３５３の吊り部材９３からフック７０ａを外し、ガイドパイプ３５４の吊り部材９４をフック７０ａに掛ける。チェーンブロック７０のチェーンを巻き上げて、再度巻上機２０を揚重し、ガイドパイプ３５４に沿って、巻上機２０を機械室１２０Ａの入り口まで移動させる。
【００８４】
チェーンブロック７０が機械室１２０Ａの入り口に到達したら、巻上機１０Ａの巻き上げ動作を停止する。次に、チェーンブロック７０のチェーンを巻き戻し、巻上機２０を床に降ろす。そして、ガイドパイプ３５４の吊り部材９４からフック７０ａを外し、ガイドパイプ３５５の吊り部材９５をフック７０ａに掛ける。チェーンブロック７０のチェーンを巻き上げて、再度巻上機２０を揚重し、ガイドパイプ３５５に沿って、巻上機２０を機械室１２０Ａの中に移動させる。
【００８５】
巻上機２０を、巻上機１０Ａの近くまで搬送したい場合には、さらにガイドパイプ３５６に沿って、同様に巻上機２０を移動させる。このように構成することによって、階段１４２，１４３に鋼板４０１，４０２を配置することなく、また台車２００を用いることなく、簡単な構成で、最上階の階床１４０Ａから機械室１２０Ａまで巻上機２０を搬送することができる。
【００８６】
なお、各門型構造体を構成する鉄パイプ、パイプサポート、クランプの数及び配置は一例であり、現場の状況によって適宜変更可能である。また、各門型構造体は、鉄パイプ、パイプサポート、クランプによって構成されるものに限らない。例えば、各門型構造体は、鉄パイプ、パイプサポート、クランプ以外の部材によって構成してもよい。さらに、建物の天井、壁などにアンカーを打ち込むことが可能であれば、門型構造体を設置せずに、アンカーを用いて鉄パイプ及びガイドパイプを支持してもよいし、各滑車をアンカーに取付けてもよい。
【００８７】
実施の形態５．
図１１は、本発明の実施の形態５による巻上機を用いた重量物搬送方法を示す概略図である。実施の形態１〜４は、階段のある経路上で巻上機２０を搬送するものであったが、実施の形態５の巻上機を用いた重量物搬送方法は、昇降路１１０Ｂを経路とする点が、実施の形態１〜４とは異なる。
【００８８】
実施の形態５の巻上機を用いた重量物搬送方法は、まず、機械室１２０Ｂに門型構造体３０６を設置して、門型構造体３０６に滑車６６を取り付ける。次に、機械室１２０Ｂの床に設けられた、昇降路１１０Ｂと連通する開口部を開放する。次に、エレベーター装置１Ｂの乗りかご１５Ｂに巻上機２０を配置し、乗りかご１５Ｂの天井の扉１７を開放する。
【００８９】
次に、搬送用ワイヤ８０の一端側を既設の巻上機１０Ｂの綱車１１Ｂに接続する。次に、搬送用ワイヤ８０の中間部分を滑車６６に掛ける。次に、搬送用ワイヤ８０の他端側を巻上機２０の吊りボルト２０ａまたは吊りボルト２０ａに通したスリングベルトに接続する。次に、巻上機１０Ｂの綱車１１Ｂを低速回転させて、搬送用ワイヤ８０を巻き取る。次に、搬送用ワイヤ８０によって巻上機２０を乗りかご１５Ｂから引き揚げる。そして、乗りかご１５Ｂの天井の開口部、昇降路１１０Ｂ、及び機械室１２０Ｂの床の開口部を経由して巻上機２０を機械室１２０Ｂに搬入する。
【００９０】
なお、機械室１２０Ｂの天井にアンカーを打つことができる場合には、門型構造体３０６を設置しなくてもよい。この場合、機械室１２０Ｂの天井にアンカーを打ち込み、アンカーに滑車６６を取付ければよい。さらに、滑車６６を介さずに、巻上機１０Ｂの綱車１１Ｂによって、直接巻上機２０を吊り上げてもよい。これにより、さらに簡単な構成で、巻上機２０を機械室１２０Ｂに搬入することができる。
【００９１】
以上のように、本発明の実施の形態１〜５による巻上機を用いた重量物搬送方法によれば、ウインチなどの揚重装置を必要とせず、簡単な構成で、容易に重量物を搬送することができる。よって、搬送作業の工数が削減される。
【符号の説明】
【００９２】
１，１Ａ，１Ｂ  エレベーター装置、１０，１０Ａ，１０Ｂ  巻上機（既設の巻上機）、１１，１１Ａ，１１Ｂ  綱車（回転体）、１２，１２Ａ  そらせ車、１３  つり合いおもり、１４，１４Ａ  主索、１５，１５Ａ，１５Ｂ  乗りかご、１６，１６Ａ  巻上機台、１８，１８Ａ  制御盤、２０  巻上機（重量物）、２０ａ  吊りボルト（吊り部材）、５１〜５７  切梁サポート、６１〜６６  滑車、７０  チェーンブロック（吊り部材）、７０ａ，７０ｂ  フック、８０  搬送用ワイヤ、９０〜９６  吊り部材、１００，１００Ａ，１００Ｂ  建物、１０１Ａ，１０２Ａ  梁、１１０，１１０Ａ，１１０Ｂ  昇降路、１２０，１２０Ａ，１２０Ｂ  機械室、１４０，１４０Ａ，１４０Ｂ  最上階の階床（機械室より低い場所）、１４１〜１４３  階段、１４５  踊り場、２００  台車、３００〜３０５  門型構造体、３１０〜３１４  鉄パイプ、３２０〜３２４  パイプサポート、３３０〜３３４  クランプ、３５０〜３５６  ガイドパイプ、４０１，４０２  鋼板。
【図１】
2019182609.tif 000003
【図２】
2019182609.tif 000004
【図３】
2019182609.tif 000005
【図４】
2019182609.tif 000006
【図５】
2019182609.tif 000007
【図６】
2019182609.tif 000008
【図７Ａ】
2019182609.tif 000009
【図７Ｂ】
2019182609.tif 000010
【図７Ｃ】
2019182609.tif 000011
【図７Ｄ】
2019182609.tif 000012
【図７Ｅ】
2019182609.tif 000013
【図７Ｆ】
2019182609.tif 000014
【図８Ａ】
2019182609.tif 000015
【図８Ｂ】
2019182609.tif 000016
【図９】
2019182609.tif 000017
【図１０Ａ】
2019182609.tif 000018
【図１０Ｂ】
2019182609.tif 000019
【図１１】
2019182609.tif 000020